(57)【特許請求の範囲】
【請求項１】
画像処理装置と、
携帯端末装置とを備え、
前記画像処理装置は、画像調整を行う画像処理部と、操作パネルと、前記画像調整の設定項目に対する設定値のメニューを前記操作パネルに表示させるとともに、前記メニューにおいて現在選択されている前記設定値に対応する固有のマーカーを前記操作パネルに表示させる表示制御部とを有し、
前記携帯端末装置は、撮像装置と、表示装置と、前記撮像装置による撮像画像内で前記マーカーを検出するマーカー検出部と、前記マーカー検出部により検出された前記マーカーに対応する前記画像調整の効果を示す画面を前記表示装置に表示させる画像調整効果表示処理部とを有すること、
を特徴とする画像処理システム。
【請求項２】
前記画像処理装置の前記表示制御部は、前記メニューにおいて現在選択されている前記設定値が変更された場合には、前記操作パネルに表示される前記マーカーを、変更後の設定値に対応するマーカーに切り替え、
前記画像調整効果表示処理部は、前記撮像画像内で検出される前記マーカーが変化した場合、前記表示装置の画面を、変化後のマーカーに対応する前記画像調整の効果を示す画面に切り換えて表示させること、
を特徴とする請求項１記載の画像処理システム。
【請求項３】
前記画像処理装置は、カラー印刷機能を有し、
前記画像処理装置の前記操作パネルは、モノクロ表示装置で前記メニューおよび前記マーカーを表示し、
前記携帯端末装置の前記表示装置は、カラー表示装置であり、
前記画像調整は、カラー情報の調整を含むこと、
を特徴とする請求項１または請求項２記載の画像処理システム。
【請求項４】
前記画像調整効果表示処理部は、前記画像調整の効果を示す画面に、前記画像調整前後の画像セットを対比して表示させ、前記携帯端末装置に対する所定のユーザー操作を検出すると、前記画像調整前後の画像セットを別の画像セットに切り換えて表示させることを特徴とする請求項１から請求項３のうちのいずれか１項記載の画像処理システム。
【請求項５】
画像調整を行う画像処理部と、
操作パネルと、
前記画像調整の設定項目に対する設定値のメニューを前記操作パネルに表示させるとともに、前記メニューにおいて現在選択されている前記設定値に対応する固有のマーカーを前記操作パネルに表示させる表示制御部とを備え、
前記マーカーは、複数の画像調整の効果を示す画面を表示可能な携帯端末装置により撮像されると、前記携帯端末装置によってそのマーカーに対応する前記画像調整を特定可能であるものであること、
を特徴とする画像処理装置。
【発明の詳細な説明】
【技術分野】
【０００１】
本発明は、画像処理システムおよび画像処理装置に関するものである。
【背景技術】
【０００２】
ある画像形成装置は、画像形成装置のユーザーインターフェイス画面において、画像調整の設定値のメニューを表示し、ユーザーにより選択された設定値に対応する画像調整の効果を示すサンプル画像を表示している（例えば特許文献１参照）。
【先行技術文献】
【特許文献】
【０００３】
【特許文献１】特開２００１−１６９１０４号公報
【発明の概要】
【発明が解決しようとする課題】
【０００４】
しかしながら、画面の小さい画像形成装置では、ユーザーが、画面に表示されたサンプル画像に基づいて画像調整の効果を理解しにくいという問題がある。また、操作パネルの画面がモノクロ画面であるカラー画像形成装置では、ユーザーが、カラー画像についての画像調整の効果を理解しにくいという問題がある。
【０００５】
なお、画像形成装置は、ネットワークなどを介して外部の端末装置へサンプル画像の画像データを送信し、その外部の端末装置でサンプル画像をユーザーに対して表示させることが考えられる。しかし、そのようにするには、画像形成装置が、その画像形成装置を操作中のユーザーの端末装置との通信路を確立し、サンプル画像の画像データを提供する必要があり、画像形成装置が操作中のユーザーの端末装置を特定するには、例えば煩雑なユーザー操作が別途必要になったりするため、好ましくない。また、画像形成装置の近傍にユーザーの端末装置が存在しない場合には、ユーザーは、画像形成装置から離れて端末装置の設置場所に行ってサンプル画像を見る必要があり、現実的ではない。
【０００６】
本発明は、上記の問題に鑑みてなされたものであり、画像処理装置による画像調整の効果をユーザーに視覚的に十分に理解させることができる画像処理システムおよび画像処理装置を得ることを目的とする。
【課題を解決するための手段】
【０００７】
本発明に係る画像処理システムは、画像処理装置と、携帯端末装置とを備える。前記画像処理装置は、画像調整を行う画像処理部と、操作パネルと、前記画像調整の設定項目に対する設定値のメニューを前記操作パネルに表示させるとともに、前記メニューにおいて現在選択されている前記設定値に対応する固有のマーカーを前記操作パネルに表示させる表示制御部とを有する。前記携帯端末装置は、撮像装置と、表示装置と、前記撮像装置による撮像画像内で前記マーカーを検出するマーカー検出部と、前記マーカー検出部により検出された前記マーカーに対応する前記画像調整の効果を示す画面を前記表示装置に表示させる画像調整効果表示処理部とを有する。
【０００８】
本発明に係る画像処理装置は、画像調整を行う画像処理部と、操作パネルと、前記画像調整の設定項目に対する設定値のメニューを前記操作パネルに表示させるとともに、前記メニューにおいて現在選択されている前記設定値に対応する固有のマーカーを前記操作パネルに表示させる表示制御部とを備える。そして、前記マーカーは、複数の画像調整の効果を示す画面を表示可能な携帯端末装置により撮像されると、前記携帯端末装置によってそのマーカーに対応する前記画像調整を特定可能であるものである。
【発明の効果】
【０００９】
本発明によれば、画像処理装置による画像調整の効果をユーザーに視覚的に十分に理解させることができる。
【図面の簡単な説明】
【００１０】
【図１】図１は、本発明の実施の形態に係る画像処理システムの構成を示す斜視図である。
【図２】図２は、図１における画像処理装置１の構成を示すブロック図である。
【図３】図３は、図１における携帯端末装置２の構成を示すブロック図である。
【図４】図４は、図１に示すシステムにおける画像処理装置１の動作について説明するフローチャートである。
【図５】図５は、図１における画像処理装置１の操作パネル１５に表示された設定項目のメニューの一例を示す図である。
【図６】図６は、図１における画像処理装置１の操作パネル１５に表示された設定値のメニューの一例（ある設定値が選択されている状態）を示す図である。
【図７】図７は、図１における画像処理装置１の操作パネル１５に表示された設定値のメニューの一例（別の設定値が選択されている状態）を示す図である。
【図８】図８は、図１に示すシステムにおける画像処理装置１においてユーザーが選択する設定値が変更された場合の、携帯端末装置２における画面切り替えを説明する図である。
【発明を実施するための形態】
【００１１】
以下、図に基づいて本発明の実施の形態を説明する。
【００１２】
図１は、本発明の実施の形態に係る画像処理システムの構成を示す斜視図である。図１に示すシステムにおいて、画像処理装置１は、画像処理機能を有する複合機などの画像形成装置である。携帯端末装置２は、スマートフォンなどの、ユーザーが携帯する端末装置であって、撮像機能を有するものである。
【００１３】
図２は、図１における画像処理装置１の構成を示すブロック図である。
【００１４】
図１に示す画像処理装置１は、画像読取装置１１、印刷装置１２、ファクシミリ装置１３、通信装置１４、操作パネル１５、演算処理装置１６などを備える。
【００１５】
画像読取装置１１は、原稿から原稿画像を光学的に読み取り、その原稿画像の画像データを生成する。
【００１６】
印刷装置１２は、原稿スキャンで得られた画像データなどに基づく画像を印刷する内部装置である。
【００１７】
ファクシミリ装置１３は、原稿スキャンで得られた画像データをファクシミリ信号として送信したり、ファクシミリ信号を受信して画像データを生成する内部装置である。
【００１８】
通信装置１４は、ネットワークインターフェイスなどであって、データ通信を行う装置である。
【００１９】
操作パネル１５は、画像処理装置１の筺体上面側に配置され、ユーザーに対して画面を表示する表示装置２１およびそのユーザーによる操作を受け付ける入力装置２２を有する。表示装置２１は、液晶ディスプレイなどである。また、入力装置２２は、ハードキー、表示装置２１とともにソフトキーを実現するタッチパネルなどである。
【００２０】
演算処理装置１６は、ＣＰＵ（Central Processing Unit）、ＲＯＭ（Read Only Memory）、ＲＡＭ（Random Access Memory）などを有するコンピューターであって、ＲＯＭや図示せぬ記憶装置に記憶されているプログラムをＲＡＭにロードしてＣＰＵで実行することにより、各種処理部を形成する。
【００２１】
演算処理装置１６では、表示制御部４１および画像処理部４２が実現される。
【００２２】
表示制御部４１は、画像調整の設定項目に対する設定値のメニューを操作パネル１５の表示装置２１に表示させるとともに、そのメニューにおいて現在選択されている設定値に対応する固有のマーカーを操作パネル１５の表示装置２１に表示させる。
【００２３】
マーカーは、複数の画像調整の効果を示す画面を表示可能な携帯端末装置２により撮像されると、携帯端末装置２によってそのマーカーに対応する画像調整を特定可能であるものである。マーカーとしては、ＡＲ（Augmented Reality）マーカー、２次元コードなどが使用される。
【００２４】
また、表示制御部４１は、上述のメニューにおいて現在選択されている設定値がユーザー操作によって変更された場合には、操作パネル１５に表示されるマーカーを、変更後の設定値に対応するマーカーに切り替える。
【００２５】
画像処理部４２は、画像読取装置１１により生成された画像データなどに対して所定の画像調整処理のうち、上述のメニューからユーザーにより選択された画像調整処理を実行する。例えば、画像調整処理では、画像の鮮鋭度を変更したり、色調を変更したりする。
【００２６】
図３は、図１における携帯端末装置２の構成を示すブロック図である。
【００２７】
携帯端末装置２は、無線通信装置５１、表示装置５２、入力装置５３、撮像装置５４、記憶装置５５、および演算処理装置５６を備える。
【００２８】
無線通信装置５１は、携帯電話網に接続するベースバンド回路などである。
【００２９】
表示装置５２は、携帯端末装置２の筐体に配置されている液晶ディスプレイなどの装置であって、各種画面をユーザーに対して表示する。
【００３０】
入力装置５３は、表示装置５２上に配置されたタッチパネルなどの装置であって、ユーザー操作を検出する装置である。
【００３１】
撮像装置５４は、図示せぬ撮像素子および光学系を有し、被写体の画像を光学的に撮像し、その画像の画像データを生成する。
【００３２】
記憶装置５５は、フラッシュメモリーなどの不揮発性の記憶装置であり、プログラムおよびデータを記憶している。記憶装置５５は、アプリケーションプログラムである画像調整効果表示プログラム６１、および画像調整効果表示データ６２を記憶している。
【００３３】
演算処理装置５６は、ＣＰＵ、ＲＯＭ、ＲＡＭなどを有するコンピューターであって、記憶装置５５やＲＯＭからＲＡＭにプログラムをロードして実行して、各種処理部を形成する。
【００３４】
この実施の形態では、演算処理装置５６において、画像調整効果表示プログラム６１が実行されることにより、マーカー検出部７１および画像調整効果表示処理部７２が形成される。
【００３５】
マーカー検出部７１は、撮像装置５４による撮像画像内でマーカーを検索し、撮像装置５４によりマーカーが撮像されている場合にはマーカーを検出する。
【００３６】
画像調整効果表示処理部７２は、マーカー検出部７１により検出されたマーカーに対応する画像調整を特定し、特定した画像調整の効果を示す画面を表示するためのデータを画像調整効果表示データ６２から読み出し、読み出したデータに基づいて画面を表示装置５２に表示させる。
【００３７】
画像調整効果表示データ６２は、画像調整の種別に関連付けて、その種別に対応する画像調整の効果を示す画面の表示データ（例えば、画像調整前の画像データおよびその画像データに対応する画像調整後の画像データの対）を有する。
【００３８】
また、画像調整効果表示処理部７２は、撮像画像内で検出されるマーカーが別のマーカーに変化した場合、表示装置５２の画面を、変化後のマーカーに対応する画像調整の効果を示す画面に切り換えて表示させる。
【００３９】
なお、１つの画像調整について複数の画像調整前後の画像セットの画像データを画像調整効果表示データ６２に含めておき、画像調整効果表示処理部７２は、画像調整の効果を示す画面に、画像調整前後の画像セットを対比して表示させ、携帯端末装置２の入力装置５３に対する所定のユーザー操作（例えばフリック操作）を検出すると、画像調整前後の画像セットを別の画像セットに切り換えて表示させるようにしてもよい。
【００４０】
次に、上記システムにおける各装置の動作について説明する。
【００４１】
図４は、図１に示すシステムにおける画像処理装置１の動作について説明するフローチャートである。
【００４２】
ユーザーは、画像処理装置１の操作パネル１５を操作して、画像調整の設定項目のメニューを表示させる。
【００４３】
図５は、図１における画像処理装置１の操作パネル１５に表示された設定項目のメニューの一例を示す図である。なお、図５に示す操作パネル１５は、入力装置２２として、表示装置２１の表示面に配置されているタッチパネル２２ａ、およびハードキー２２ｂを有する。
【００４４】
そして、ユーザーは、画像処理装置１の操作パネル１５を操作して、その設定項目のメニューにおいて所望の画像調整の設定項目を選択する。表示制御部４１は、画像調整の設定項目を選択するユーザー操作を入力装置２２で検出すると、選択された設定項目についての設定値のメニューを表示装置２１に表示させる（ステップＳ１）。
【００４５】
ユーザーは、画像処理装置１の操作パネル１５を操作して、その設定値のメニューにおいて所望の設定値を選択する（ステップＳ２）。
【００４６】
表示制御部４１は、画像調整の設定項目を選択するユーザー操作を入力装置２２で検出すると、設定値のメニューとともに、その設定値のメニューにおいて現在選択されている設定値に対応する固有のマーカーを操作パネル１５の表示装置２１に表示させる（ステップＳ３）。
【００４７】
図６は、図１における画像処理装置１の操作パネル１５に表示された設定値のメニューの一例（ある設定値が選択されている状態）を示す図である。
【００４８】
例えば図５に示す設定項目のメニュー１０１において、ワンタッチ調整が設定項目として選択された場合、図６に示すように、ワンタッチ調整についての設定値のメニュー１１１が表示される。そして、設定値のメニュー１１１において、設定値「あざやか」が選択されると、設定値「あざやか」に対応するマーカー１２１が、図６に示すように、所定の表示領域１１２に表示される。
【００４９】
他方、マーカー１２１の表示開始後、ユーザーは、ユーザーの所持する携帯端末装置２で操作パネル１５（つまり、マーカー１２１）を撮像する。これにより、携帯端末装置２では、マーカー検出部７１が、撮像画像内でマーカー１２１を検出し、画像調整効果表示処理部７２は、検出されたマーカー１２１に対応する画像調整の効果を示す画面を表示装置５２に表示させる。例えば、設定値「あざやか」のマーカー１２１が検出された場合、所定の画像について、設定値「あざやか」に対応する画像調整を行う前の画像と設定値「あざやか」に対応する画像調整を行った後の画像とが同一画面内に表示される。
【００５０】
その後、表示制御部４１は、入力装置２２で、設定値の変更のためのユーザー操作および設定値確定のためのユーザー操作（例えば図示せぬ確定ボタンの押下など）が検出されたか否かを監視する（ステップＳ４，Ｓ５）。
【００５１】
そして、表示制御部４１は、入力装置２２で、設定値の変更のためのユーザー操作が検出された場合、変更前の設定値に対応するマーカー１２１を、変更後の設定値に対応するマーカーへ切り換えて表示させる（ステップＳ６）。
【００５２】
図７は、図１における画像処理装置１の操作パネル１５に表示された設定値のメニューの一例（別の設定値が選択されている状態）を示す図である。例えば図７に示すように、設定値のメニュー１１１において、現在選択されている設定値が「あざやか」から「なめらか」へ変更された場合、設定値「あざやか」に対応するマーカー１２１が、設定値「なめらか」に対応するマーカー１２２に切り替えられる。
【００５３】
図８は、図１に示すシステムにおける画像処理装置１においてユーザーが選択する設定値が変更された場合の、携帯端末装置２における画面切り替えを説明する図である。他方、携帯端末装置２によって操作パネル１５が継続的に撮像されており、マーカー１２２の表示が開始されると、図８に示すように、携帯端末装置２では、マーカー検出部７１が、撮像画像内でマーカー１２２を検出し、画像調整効果表示処理部７２は、表示装置５２の画面を、検出されたマーカー１２１に対応する画像調整の効果を示す画面から、検出されたマーカー１２２に対応する画像調整の効果を示す画面へ切り替える。
【００５４】
一方、表示制御部４１は、入力装置２２で、設定値確定のためのユーザー操作が検出された場合、現在選択されている設定値を設定項目にセットし（ステップＳ７）、画像処理部４２は、設定項目にセットされた設定値に対応する画像処理パラメーターを特定し、特定した画像処理パラメーターで、画像調整の画像処理を実行する。
【００５５】
以上のように、上記実施の形態によれば、画像処理装置１では、表示制御部４１が、画像調整の設定項目に対する設定値のメニュー１１１を操作パネル１５に表示させるとともに、メニュー１１１において現在選択されている設定値に対応する固有のマーカー１２１を操作パネル１５に表示させる。携帯端末装置２では、マーカー検出部７１は、撮像装置５４による撮像画像内でマーカー１２１を検出し、画像調整効果表示処理部７２は、マーカー検出部７１により検出されたマーカー１２１に対応する画像調整の効果を示す画面を表示装置５２に表示させる。
【００５６】
これにより、画像処理装置１の操作パネル１５の表示装置２１の表現力（サイズ、カラー／モノクロなどの仕様）に拘わらず、画像処理装置１による画像調整の効果をユーザーに視覚的に十分に理解させることができる。したがって、ユーザーは、携帯端末装置２で画像調整の効果を確認しながら、画像処理装置１で画像調整の設定操作を行うことができる。
【００５７】
また、画像処理装置１と携帯端末装置２との間で通信をする必要がないので、簡単な処理で上述の効果を得られるとともに、通信に起因するセキュリティの問題が発生しないで済む。
【００５８】
なお、上述の実施の形態は、本発明の好適な例であるが、本発明は、これらに限定されるものではなく、本発明の要旨を逸脱しない範囲において、種々の変形、変更が可能である。
【００５９】
例えば、上記実施の形態において、画像処理装置１は、カラー印刷機能を有し、画像処理装置１の操作パネル１５の表示装置２１をモノクロ表示装置とし、携帯端末装置２の表示装置５２をカラー表示装置とし、画像調整が、カラー情報の調整（つまり、色相および／または彩度の調整）を含むようにしてもよい。この場合には、画像処理装置１の操作パネル１５の表示装置２１をモノクロ表示装置であっても、ユーザーは、携帯端末装置２を使用してカラー画像の画像調整の効果を理解することができる。
【産業上の利用可能性】
【００６０】
本発明は、例えば、複合機などの画像形成装置に適用可能である。
【符号の説明】
【００６１】
１  画像処理装置
２  携帯端末装置
１５  操作パネル
４１  表示制御部
４２  画像処理部
５２  表示装置
５４  撮像装置
７１  マーカー検出部
７２  画像調整効果表示処理部
１１１  メニュー
１２１，１２２  マーカー
【図１】
0006025765.tif 000002
【図２】
0006025765.tif 000003
【図３】
0006025765.tif 000004
【図４】
0006025765.tif 000005
【図５】
0006025765.tif 000006
【図６】
0006025765.tif 000007
【図７】
0006025765.tif 000008
【図８】
0006025765.tif 000009